(57)【要約】      （修正有）【課題】使用範囲が広く、飲食の際にも邪魔にならない、マウスシールドを提供する。【解決手段】マウスシールドＳは、耳に掛けられる耳掛部１１を有する、帯状に構成された第１シート１と、第１シート１よりも幅の広い第２シート２であって、向かい合う第１縁部と第２縁部とを有し、第１シート１に対して第２縁部近傍のみが固定されている、第２シート２と、から構成されている。第１シート１及び第２シート２は、透明な素材から形成されるシートである。【選択図】図２
0003231474.tif 000002
【実用新案登録請求の範囲】
【請求項１】
耳に掛けられる耳掛部を有する、帯状に構成された第１シートと、
前記第１シートよりも幅の広い第２シートであって、向かい合う第１縁部と第２縁部とを有し、前記第１シートに対して第２縁部近傍のみが固定されている、第２シートと、
から構成される、マウスシールド。
【請求項２】
首に掛け回される首掛部を有する、帯状に構成された第１シートと、
前記第１シートよりも幅の広い第２シートであって、向かい合う第１縁部と第２縁部とを有し、前記第１シートに対して第２縁部近傍のみが固定されている、第２シートと、
から構成される、マウスシールド。
【請求項３】
前記第１シートは、長手方向に伸びる向かい合う第１縁部と第２縁部とを有し、
前記第１シートの前記第２縁部と前記第２シートの前記第２縁部とが重ね合わされて、
前記第１シートの前記第２縁部と前記第２シートの前記第２縁部とが中央近傍の離れた２箇所で固定されるとともに、
前記第１シートの前記第１縁部と前記第２シートとが中央の１箇所で固定される、請求項１又は請求項２に記載された、マウスシールド。
【請求項４】
前記第１シート又は前記第２シートは、装着した状態の左右の方向を示すマークを有する、請求項１乃至請求項３のいずれか一項に記載された、マウスシールド。
【請求項５】
前記第１シート及び前記第２シートは、透明な素材から形成されるシートである、請求項１乃至請求項４のいずれか一項に記載された、マウスシールド。
【考案の詳細な説明】
【技術分野】
【０００１】
本考案は、飲食する際に使用される使い捨て型のマウスシールドに関するものである。
【背景技術】
【０００２】
コロナ禍において、会話などの際に装着者の口元を遮蔽するためのマウスシールドが知られている。例えば、不織布製のマスクは、顔面に密着して蒸れるため、長時間使用すると耳が痛くなる。一方、フェイスシールドは、吐息によって曇るうえに、顔全体を覆うために暑くなる。そこで、例えば、特許文献１には、本体２と左右それぞれにスナップボタン３、４とを備えるマウスシールドが開示されている。
【先行技術文献】
【特許文献】
【０００３】
【特許文献１】登録実用新案第３２２８０４９号公報
【考案の概要】
【考案が解決しようとする課題】
【０００４】
しかしながら、特許文献１のマウスシールドは、スナップボタン３、４をヘルメットの顎紐に掛け回して固定するものであった。そのため、ヘルメットを装着していない状態では使用できなかった。さらに、飲食の際に使用できるものではなかった。
【０００５】
そこで、本考案は、使用範囲が広く、飲食の際にも邪魔にならない、マウスシールドを提供することを目的としている。
【課題を解決するための手段】
【０００６】
前記目的を達成するために、本考案のマウスシールドは、耳に掛けられる耳掛部、又は、首に掛け回される首掛部を有する、帯状に構成された第１シートと、前記第１シートよりも幅の広い第２シートであって、向かい合う第１縁部と第２縁部とを有し、前記第１シートに対して第２縁部近傍のみが固定されている、第２シートと、から構成されている。
【考案の効果】
【０００７】
このように、本考案のマウスシールドは、耳に掛けられる耳掛部、又は、首に掛け回される首掛部を有する、帯状に構成された第１シートと、第１シートよりも幅の広い第２シートであって、向かい合う第１縁部と第２縁部とを有し、第１シートに対して第２縁部近傍のみが固定されている、第２シートと、から構成されている。このような構成であれば、耳に掛けたり、首に掛けたりすることで容易に使用でき、第２シートが上下に自在に撓み変形することで、飲食の際にも邪魔にならない、マウスシールドとなる。
【図面の簡単な説明】
【０００８】
【図１】実施例のマウスシールドを装着した状態の正面図である。
【図２】実施例のマウスシールドの正面図である。
【図３】実施例のマウスシールドの部品図（分解図）である。
【図４】変形例のマウスシールドの正面図である。
【図５】マウスシールドを装着した状態の通常時の側面図である。
【図６】マウスシールドを装着した状態の食事中の側面図である。
【考案を実施するための形態】
【０００９】
以下、本考案の実施の形態について図面を参照して説明する。ただし、以下の実施例に記載されている構成要素は例示であり、本考案の技術範囲をそれらのみに限定する趣旨のものではない。
【実施例】
【００１０】
（構成）
まず、図１〜図３を用いて、本考案のマウスシールドＳの全体構成を説明する。本考案のマウスシールドＳは、図１〜図３に示すように、耳に掛けられる耳掛部１１を有する、帯状に構成された第１シート１と、第１シート１よりも幅の広い第２シート２であって、向かい合う第１縁部２０ａと第２縁部２０ｂとを有し、第１シート１に対して第２縁部２０ｂ近傍のみが固定されている、第２シート２と、から構成されている。
【００１１】
このマウスシールドＳは、主に第１シート１と第２シート２から構成される、きわめて安価に製造可能なものである。したがって、このマウスシールドＳは、使用後に廃棄される、使い捨て型のマウスシールドＳであることを想定されている。ただし、マウスシールドＳが消毒・洗浄などを経て再利用されることを妨げるものではない。
【００１２】
第１シート１は、合成樹脂製の透明なシートであり、細長い帯状に形成される。例えば、第１シート１は、幅２（ｃｍ）×長さ２０（ｃｍ）とすることができる。そして、第１シート１には、両端近傍に後述する耳掛部としてのゴム１１を取り付けるための孔が形成されている。耳掛部としてのゴム１１は、耳に掛けられる程度の長さ・弾性を有する弾性部材であり、市販のマスク用のゴムを使用することができるし、他にも輪ゴムを使用することも可能である。
【００１３】
さらに、本実施例の第１シート１の両端近傍には、装着した状態の左右の方向を示すマークＭ（Ｒ）、Ｍ（Ｌ）が付されている。このうち、右を示すマークＭ（Ｒ）は、装着した状態で右を示す端部近傍に付されている。同様に左を示すマークＭ（Ｌ）は、装着した状態で左を示す端部近傍に付されている。これらのマークＭ（Ｒ）、Ｍ（Ｌ）は、第１シート１に印刷されるものであってもよいし、シールとして構成されて貼り付けられるものであってもよい。
【００１４】
この他、耳掛部としてのゴム１１は、首に掛ける首掛部１２であってもよい。すなわち、第１シート１は、図４に示す変形例のように、ゴム１１を有することなく、首に掛け回すことができる程度に長く形成されることも可能である。
【００１５】
第２シート２は、第１シート１と同様に、合成樹脂製の透明なシートであり、第１シート１よりも幅の広い四角形に形成される。例えば、第２シート２は、幅２０（ｃｍ）×長さ２５（ｃｍ）とすることができる。
【００１６】
そして、第２シート２は、向かい合う第１縁部２０ａと第２縁部２０ｂとを有し、第１シート１に対して第２縁部２０ｂ近傍のみが固定されている。すなわち、図２、図３に示すように、図中において下方となる第２シート２の第２縁部２０ｂに、第１シート１が貼り付けられている。より具体的に言うと、第１シート１の下方の第２縁部１０ｂと、第２シート２の下方の第２縁部２０ｂと、が重ねられた状態で、両者が貼り付けられる。
【００１７】
そして、第１シート１と第２シート２とは、点線の円で図示するように、三角形状に配置された３点の接着部３０、３０、３０で固定される。具体的に言うと、第１シート１の第２縁部１０ｂと第２シート２の第２縁部２０ｂとが中央近傍の離れた２箇所３０、３０で固定される。さらに、第１シート１の第１縁部１０ａと第２シート２（の第２縁部２０ｂの少し上の位置）とが中央の１箇所３０で固定される。つまり、装着状態で鼻の頭の位置となる１点３０と、装着状態で小鼻の位置となる２点３０、３０と、の３点でシート１、２が貼り合わされる。なお、固定する（貼り合わせる）手段は、接着（又は溶着）であってもよいし、テープによって貼り付けてもよい。
【００１８】
（使い方）
次に、図５、図６を用いて、本実施例のマウスシールドＳの使い方について説明する。マウスシールドＳは、以下に示す６つのステップから構成される。
【００１９】
（１）マウスシールドＳを準備する。
（２）第２縁部１０ｂ（２０ｂ）を鼻の下に配置し、第１シート１の第１縁部１０ａを鼻の上に配置する。
（３）耳掛部１１を耳に掛ける。又は、首掛部１２を首に掛ける。
（４）必要に応じて、第２シート２を手で折り曲げて形状を補正（調整）する。そうすると、マウスシールドＳの第２シート２は、逆Ｕ字状に反り返った形状となる。
（５）マウスシールドＳを着用した状態で、食事をする。
Ａ）食べ物を食べていない状態では、図５に示すように、マウスシールドＳによって口元の正面を塞ぐことができる。
Ｂ）食べ物を口元に運ぶ際には、図６に示すように、例えば、コップによって第２シート２を上に押して変形させる。または、箸を持った手で第２シート２を上に押して変形させる。
（６）このように、食事中であっても、いちいちマウスシールドＳを外す動作なく、飛沫を防ぐことができる。さらに、マウスシールドＳが汚れれば、新しいものと取り替えることができる。
【００２０】
（効果）
次に、実施例のマウスシールドＳが奏する効果を列挙して説明する。
【００２１】
（１）上述してきたように、実施例のマウスシールドＳは、耳に掛けられる耳掛部１１を有する、帯状に構成された第１シート１と、第１シート１よりも幅の広い第２シート２であって、向かい合う第１縁部２０ａと第２縁部２０ｂとを有し、第１シート１に対して第２縁部２０ｂ近傍のみが固定されている、第２シート２と、から構成されている。
【００２２】
（２）あるいは、実施例のマウスシールドＳは、耳掛部１１ではなく、首に掛け回される首掛部１２を有する、帯状に構成された第１シート１と、第１シート１よりも幅の広い第２シート２であって、向かい合う第１縁部２０ａと第２縁部２０ｂとを有し、第１シート１に対して第２縁部２０ｂ近傍のみが固定されている、第２シート２と、から構成されている。
【００２３】
上述の（１）、（２）の構成を備えることによって、耳に掛けたり、首に掛けたりすることで容易に使用でき、第２シート２が上下に自在に撓み変形することで、飲食の際にも邪魔にならない、マウスシールドとなる。もちろん、マウスシールドＳは、第２シート２によって口元の正面近傍を覆うことができるため飛沫の飛散を抑制できる。
【００２４】
また、マウスシールドＳは、主要な要素が２枚のシート１、２のみから構成されることで、極めて単純かつ安価な構成になる。したがって、使い捨て型のマウスシールドＳとして最適な構成といえる。さらに、マウスシールドＳは、食事によって汚れが付着するが、使い捨て型であれば、食事後に又は食事中に、気兼ねなく取り替えることができる。
【００２５】
さらに、実施例のマウスシールドＳの第２シート２は、薄いシート状に形成されることで、容易に撓み変形するため、食べ物を口元に運ぶ際にコップや手で第２シート２をよけることができる。
【００２６】
また、マウスシールドＳは、きわめて軽量であるため、耳掛部１１又は首掛部１２を、簡易な構成にできる。すなわち、仮にマウスシールドＳが重量のある重いものであれば、大きい引張力によって引っ張る必要があるが、軽量であれば小さい摩擦力のみで、装着状態の位置を保持することができる。
【００２７】
加えて、マウスシールドＳは、極めて軽量であるため、常に複数枚を持ち歩くことも可能である。さらに、マウスシールドＳは、シート１、２のみから構成されるため、収納スペースをとらない、省スペースである。
【００２８】
（３）また、第１シート１は、長手方向に伸びる向かい合う第１縁部１０ａと第２縁部１０ｂとを有し、第１シート１の第２縁部１０ｂと第２シート２の第２縁部２０ｂとが重ね合わされて、第１シート１の第２縁部１０ｂと第２シート２の第２縁部２０ｂとが中央近傍の離れた２箇所で固定されるとともに、第１シート１の第１縁部１０ｂと第２シート２とが中央の１箇所で固定されている。このように、第１シート１と第２シート２とが３点支持されていることによって、第２縁部１０ｂ、２０ｂどうしを２箇所固定することで、第２シート２が第２シート２自体の剛性で上向きに延びる。さらに、第２シート２の自重で、Ｕ字形に撓むようになる。上向き範囲の鼻と接触する部分は１箇所だけ固定することで、鼻に沿って曲がることが抑制される。
【００２９】
（４）また、第１シート１又は第２シート２は、装着した状態の左右の方向を示すマークＭ（Ｒ）、Ｍ（Ｌ）を有していることで、誤って左右を逆にした状態で装着することを防止できることが好ましい。
【００３０】
（５）さらに、第１シート１及び第２シート２は、透明な素材から形成されるシートであることによって、口元が見えることが好ましいこのように口元が見通せることによって、食べ物を口元に運ぶ際に位置がわかりやすい。さらに、透明なマウスシールドＳであれば、顔の印象を損なうこともない。
【００３１】
以上、図面を参照して、本考案の実施例を詳述してきたが、具体的な構成は、この実施例に限らず、本考案の要旨を逸脱しない程度の設計的変更は、本考案に含まれる。
【符号の説明】
【００３２】
Ｓ          マウスシールド
Ｍ（Ｒ）    マーク
Ｍ（Ｌ）    マーク
１          第１シート
１０ａ      第１縁部
１０ｂ      第２縁部
１１        ゴム（耳掛部）
１２        首掛部
２          第２シート
２０ａ      第１縁部
２０ｂ      第２縁部
３０        接着部（固定部）
【図１】
0003231474.tif 000003
【図２】
0003231474.tif 000004
【図３】
0003231474.tif 000005
【図４】
0003231474.tif 000006
【図５】
0003231474.tif 000007
【図６】
0003231474.tif 000008